(57)【要約】【課題】貫通孔形成用の孔部シール材に連設されている外気と連通する空気通路を避けてコモン電極とセグメント電極とを配線し、その各電極を画像メモリ内の表示データにより駆動するにあたって、画像メモリに対する表示データの正確な書き込み・読み出しを可能とする。【解決手段】画像メモリ３０は、コモン電極の総本数をｍ，セグメント電極の総本数をｎとして、その各電極交点に対応するｍ×ｎのビットマップ形式のデータストア部を有し、そのうちの実際に電極交点が存在しない架空画素に対応するデータストア部をアクセス禁止の無効メモリ領域３１とする。【選択図】    図９
2004184498.tif 000002
【特許請求の範囲】
【請求項１】
コモン電極を有する第１透明電極基板と、セグメント電極を有する第２透明電極基板とを周辺シール材を介して圧着し、上記各透明電極基板間に液晶を封入してなる液晶セルと、画像メモリより表示データを読み出しドライバを介して上記コモン電極および上記セグメント電極を駆動するコントローラとを含み、上記液晶セルの表示領域内のほぼ中央部に孔部シール材にて囲まれた貫通孔が穿設され、上記孔部シール材の一部分が空気通路として上記液晶セルの所定辺にまで引き出されており、上記空気通路によって上記液晶セルの表示領域の一部分が２分されている液晶表示装置において、
上記コモン電極が、上記空気通路によって分割された一方の分割表示部分側から上記貫通孔の周辺を通って他方の分割表示部分側に折り返すように配線されているとともに、上記セグメント電極が、上記所定辺に隣接する２辺から上記コモン電極に対して直交するように配線されており、
上記画像メモリは、上記コモン電極の総本数をｍ，上記セグメント電極の総本数をｎとして、その各電極交点に対応するｍ×ｎのデータストア部を有し、実際に上記電極交点の存在しない所定アドレスの上記データストア部がアクセス禁止領域とされていることを特徴とする液晶表示装置。
【請求項２】
上記コモン電極は、上記貫通孔の周辺の３箇所で同方向に順次直角に折り曲げられており、上記一方の分割表示部分側から第１折曲部までの間を第１区画，上記第１折曲部から第２折曲部までの間を第２区画，上記第２折曲部から第３折曲部までの間を第３区画，上記第３折曲部から上記空気通路に至る手前までの間を第４区画として、上記各区画が移り変わる部分に対応するアドレスの上記データストア部がアクセス禁止領域とされている請求項１に記載の液晶表示装置。
【請求項３】
上記第１区画〜上記第４区画に対応するアドレスの上記各データストア部には、上記第１区画側から表示データが同方向に順次９０゜回転した状態で書き込まれる請求項２に記載の液晶表示装置。
【発明の詳細な説明】
【０００１】
【発明の属する技術分野】
本発明は、表示部内に機械的手段の一部分を挿通し得る貫通孔を備えた液晶表示装置に関し、さらに詳しく言えば、表示部内での表示電極の引き回し配線技術と画像の表示技術に関するものである。
【０００２】
【従来の技術】
液晶表示装置は各画素の位置が固定されており、その各画素の点灯・非点灯により所定の情報を表示するディジタル表示器の一種であるが、近年においては、その表示部内に例えば時計や自動車の速度計の指針回転軸などを挿通し得る貫通孔を形成し、アナログ指示計器と併用することが行なわれている。
【０００３】
表示部内に貫通孔を形成するには、２枚の透明電極基板を周辺シール材を介して圧着する際、その表示部内の貫通孔形成位置にあらかじめ孔部シール材を塗布し、両透明電極基板を圧着し液晶を封入したのち、ドリルもしくは水圧方式のカッターにて孔部シール材内を貫通する孔を開ける。なお、上記孔部シール材は、例えばベタ状もしくはドーナツ状（環状）に塗布される。
【０００４】
孔部シール材の塗布形状をベタ状とする場合、基板圧着時にシール材の潰れ不良が発生し、これが原因で貫通孔周辺の表示部にギャップむらが生じ均一な表示ができなくなることがある。また、孔部シール材の塗布形状をドーナツ状とする場合、基板圧着時に環状内の圧力が上昇し、ドーナツ状孔部シールのパンク（破裂）が発生することがある。
【０００５】
パンクの発生を減少させるために、真空中での圧着方法も検討されているが、圧着装置の大型化，装置費用の増大化，生産性低下などを招き好ましい方法ではない。ドーナツ状孔部シールのパンク発生率は孔径に比例する。例えば、貫通孔内にジョイスティックやシーソースイッチなどを挿通するため、その孔径を１０ｍｍ以上とする場合にパンクが発生しやすくなる。
【０００６】
このパンク現象は、ドーナツ状孔部シール材の内部が密閉状態であるため発生する。そこで、特に孔径の大きなものについては、ドーナツ状孔部シール材の一部分を液晶セルの所定辺にまで引き出して、ドーナツ状孔部シール材の内部を外気と連通させる空気通路を形成するようにしている。
【０００７】
これによれば、孔径の大小に関わらず、孔部シール材のパンクを防止することができるが、他方において、空気通路内は常に外気に晒されるため、表示電極中の空気通路内を通る配線部分が電蝕現象により腐蝕してしまうという別の課題が発生する。
【０００８】
そこで、本出願人は、このような空気通路を有する液晶セルに対して、空気通路を避けてコモン電極およびセグメント電極を配線し、しかもその内のコモン電極を一つのコモンドライバにて駆動可能とした技術を下記の特許文献１として出願した。
【０００９】
すなわち、特許文献１では、コモン電極を空気通路によって分割された一方の分割表示部分側から貫通孔の周辺に沿わせて他方の分割表示部分側に折り返すように配線することにより、一つのコモンドライバにて各分割表示部分内のコモン電極を駆動することを可能としている。
【００１０】
【特許文献１】
特願２００２−０２３６１７
【００１１】
【発明が解決しようとする課題】
上記特許文献１のようにコモン電極を配線した場合、それに伴ってセグメント電極の配線も変わってくるため、通常のフルドットマトリクス表示に用いられているビットマップ形式の画像メモリをそのまま採用すると、実際に電極交点がないデータストア部に対して表示データの書き込み読み出しが行われるおそれがあり、また、表示データの入れ方によっては、表示される画像が部分的に反転してしまうこともある。
【００１２】
したがって、本発明の目的は、コモン電極を空気通路によって分割された一方の分割表示部分側から貫通孔の周辺に沿わせて他方の分割表示部分側に折り返すように配線するとともに、このコモン電極に対してセグメント電極を直交するように配線する場合において、画像メモリに対する表示データの正確な書き込み・読み出しを可能とし、適正な表示が得られるようにすることにある。
【００１３】
【課題を解決するための手段】
上記目的を達成するため、本発明は、コモン電極（走査電極）を有する第１透明電極基板と、セグメント電極（信号電極）を有する第２透明電極基板とを周辺シール材を介して圧着し、上記各透明電極基板間に液晶を封入してなる液晶セルと、画像メモリより表示データを読み出しドライバを介して上記コモン電極および上記セグメント電極を駆動するコントローラとを含み、上記液晶セルの表示領域内のほぼ中央部に孔部シール材にて囲まれた貫通孔が穿設され、上記孔部シール材の一部分が空気通路として上記液晶セルの所定辺にまで引き出されており、上記空気通路によって上記液晶セルの表示領域の一部分が２分されている液晶表示装置において、上記コモン電極が、上記空気通路によって分割された一方の分割表示部分側から上記貫通孔の周辺を通って他方の分割表示部分側に折り返すように配線されているとともに、上記セグメント電極が、上記所定辺に隣接する２辺から上記コモン電極に対して直交するように配線されており、上記画像メモリは、上記コモン電極の総本数をｍ，上記セグメント電極の総本数をｎとして、その各電極交点に対応するｍ×ｎのデータストア部を有し、実際に上記電極交点の存在しない所定アドレスの上記データストア部がアクセス禁止領域とされていることを特徴としている。
【００１４】
これによれば、実際に電極交点が存在しないデータストア部に表示データが書き込まれたり、そのデータストア部から表示データが読み出されてしまうことがなくなる。
【００１５】
本発明の好ましい態様によると、上記コモン電極は、上記貫通孔の周辺の３箇所で同方向に順次直角に折り曲げられており、上記一方の分割表示部分側から第１折曲部までの間を第１区画，上記第１折曲部から第２折曲部までの間を第２区画，上記第２折曲部から第３折曲部までの間を第３区画，上記第３折曲部から上記空気通路に至る手前までの間を第４区画として、上記各区画が移り変わる部分に対応するアドレスの上記データストア部がアクセス禁止領域とされている。
【００１６】
また、上記第１区画〜上記第４区画に対応するアドレスの上記各データストア部に、上記第１区画側から表示データを同方向に順次９０゜回転した状態で書き込むことにより、部分的に表示が横になったり反転したりすることなく、方向性の揃った適正な表示が得られる。
【００１７】
一方、貫通孔の内径は１０ｍｍ以上であることが好ましく、これによれば、その貫通孔内に、少なくとも上下左右の４方向を選択し得るスイッチ手段（例えば、ジョイスティックやシーソースイッチなど）を組み込んで、そのスイッチ手段にて液晶セル表示部内の特定表示領域の表示を制御し得る多機能表示を実現することができる。
【００１８】
【発明の実施の形態】
まず、図１の模式的平面図およびその断面図である図２により、本発明の液晶表示装置が備える液晶セル１０の基本的な構成について説明する。
【００１９】
この液晶セル１０は、第１透明電極基板１１と第２透明電極基板１２とを周辺シール材１３を介して圧着してなるが、そのセル内には、貫通孔を形成するための孔部シール材１４が設けられている。
【００２０】
この場合、孔部シール材１４は円形に近いＣ字状とされ、その両端が液晶セル１０の所定辺にまで引き出され、これによって孔部シール材１４の内部を外気に連通する空気通路１５が形成されている。孔部シール材１４は両透明電極基板１１，１２の圧着前に、そのいずれか一方の基板側に塗布され、周辺シール材１３とともに加圧されるが、その内部が空気通路１５を介して外気と連通しているためパンクすることはない。
【００２１】
両透明電極基板１１，１２の圧着後に、周辺シール材１３に形成されている注入口１３１からセル内に所定の液晶が注入され、その後、注入口１３１が例えば紫外線硬化型樹脂などの封止材１３２にて封止される。そして、図示しないドリルもしくは水圧方式のカッタなどにて、両透明電極基板１１，１２に孔部シール材１４の内部を通る貫通孔１６が同軸的に開けられる。これとは異なり、貫通孔１６を開けた後に、セル内に液晶を注入するようにしてもよい。
【００２２】
次に、本発明の好適な実施形態として、この液晶セル１０を、少なくとも上下左右の４方向を選択できるスイッチ手段と組み合わせて用いる場合について説明する。この種のスイッチ手段には、ジョイスティックもしくは４方向シーソースイッチなどがあり、いずれも採用可能であるが、この例では図２に示すようにジョイスティック２０を採用している。
【００２３】
すなわち、この実施形態においては、貫通孔１６を液晶セル１０の中央部分に穿設して、そこにジョイスティック２０を配置するとともに、貫通孔１６を中心として、その上下２箇所に表示領域Ｄ１，Ｄ２を、また、貫通孔１６の左右２箇所に表示領域Ｄ３，Ｄ４をそれぞれ島状に設定し、ジョイスティック２０の上下左右の操作（傾き）に合わせて、各表示領域の表示が切り替えられるようにしている。なお、ジョイスティック２０の大きさおよび操作性からして、貫通孔１６の内径は１０ｍｍ以上とすることが好ましい。
【００２４】
各表示領域Ｄ１〜Ｄ４の表示形態はいずれも、コモン電極（走査電極）とセグメント電極（信号電極）とを直交状に交差させてなるドットマトリクス表示であり、図３にコモン電極Ｃ側の配線状態を示し、図４にセグメント電極Ｓ側の配線状態を示す。なお、この例ではコモン電極Ｃが第２透明電極基板１２側に形成され、セグメント電極Ｓが第１透明電極基板１１側に形成されているが、逆の配置としてもよい。
【００２５】
この電極配線に関して、まず、本発明において重要なことは、図３，図４からも明らかなように、コモン電極Ｃおよびセグメント電極Ｓともに外気に晒されることによる電蝕を防止するため、孔部シール材１４からセル外に至る空気通路１５の部分を避けて配線していることである。
【００２６】
ところで、このように空気通路１５内に電極を設けない場合、液晶セル１０の表示部内の一部分が分割されることになる。図示の例では、空気通路１５が液晶セル１０の中央部分の孔部シール材１４から液晶セル１０の右辺１０Ｒ側に引き出されているため、電極の配線設計からすると、液晶セル１０の表示部内は空気通路１５を境として、その上側の第１表示部ＤＵと下側の第２表示部ＤＬとに分割された状態となり、この例では、表示領域Ｄ１，Ｄ３およびＤ４が第１表示部ＤＵ内に含まれ、これに対して、表示領域Ｄ２が第２表示部ＤＬ内に含まれることになる。
【００２７】
したがって、コモン電極Ｃを例えば空気通路１５に対して平行となるように配線するとすれば、第１表示部ＤＵに配線されるコモン電極と、第２表示部ＤＬに配線されるコモン電極とにそれぞれ別のコモンドライバが必要とされることになるが、本発明では、次のようにして一つのコモンドライバにて第１表示部ＤＵのコモン電極と第２表示部ＤＬのコモン電極とを駆動可能としている。
【００２８】
すなわち、コモンドライバ１８を図３のように液晶セル１０の右辺１０Ｒ側の端子部の内の例えば第２表示部ＤＬ側に実装する。そして、各コモン電極Ｃをコモンドライバ１８との接続部分から引き出し、第２表示部ＤＬ内を通した上で、貫通孔１６の周りに沿って迂回させて第１表示部ＤＵ内に導き、さらに表示領域Ｄ４側にまで引き延ばして配線する。
【００２９】
このようにして、各コモン電極Ｃは、コモンドライバ１８→表示領域Ｄ２→表示領域Ｄ３→表示領域Ｄ１→表示領域Ｄ４へと一連に配線されるため、一つのコモンドライバ１８にて各表示領域内のコモン電極Ｃを制御することができる。また、貫通孔１６の近傍にもコモン電極Ｃを形成することができるので、表示領域Ｄ１〜Ｄ４を有効に配設することができる。
【００３０】
セグメント電極Ｓについては、図４に示すように、第１表示部ＤＵ側の端子部と第２表示部ＤＬ側の端子部とに、セグメントドライバ１９ａ，１９ｂをそれぞれ実装する。そして、一方のセグメントドライバ１９ａからは表示領域Ｄ１，Ｄ４に向けてセグメント電極Ｓを配線し、他方のセグメントドライバ１９ｂからは表示領域Ｄ２，Ｄ３に向けてセグメント電極Ｓを配線する。
【００３１】
その場合、各表示領域Ｄ１〜Ｄ４内でコモン電極Ｃと直交させるため、表示領域Ｄ３，Ｄ４については、セグメント電極Ｓを所定の部分でほぼ直角に折り曲げて、その表示領域Ｄ３，Ｄ４の側方から導き入れる。
【００３２】
コモン電極Ｃおよびセグメント電極Ｓの本数は、各表示領域Ｄ１〜Ｄ４の表示ドット数に合わせて選択されるが、上記のようにコモン電極Ｃおよびセグメント電極Ｓをその途中で向きを変えて引き回す結果、ある表示領域では、コモン電極Ｃが図３において上下方向に配線されることになる。この例で言えば、表示領域Ｄ３，Ｄ４がそれに該当する。
【００３３】
表示ドット数をコモン側×セグメント側で表すとして、例えば、表示領域Ｄ１，Ｄ２の表示ドット数が３２×１５０で、表示領域Ｄ３，Ｄ４の表示ドット数が３２×１００であるとすれば、表示領域Ｄ１，Ｄ２内には、横方向に延びかつ上下方向に互いに平行に配列された３２本のコモン電極Ｃと、縦方向の延びかつ左右方向に互いに平行に配列された１５０本のセグメント電極Ｓとが通されることになる。
【００３４】
これに対して、表示領域Ｄ３，Ｄ４内には、横方向に延びかつ上下方向に互いに平行に配列された１００本のセグメント電極Ｓと、縦方向に延びかつ左右方向に互いに平行に配列された３２本のコモン電極Ｃとが通されることになる。
【００３５】
用途の一例として、車載用の場合には、各表示領域Ｄ１〜Ｄ４を例えば「エアコン」，「オーディオ」，「車内送風切替」，「空気清浄」などのモード表示に割り当てることにより、ジョイスティック２０の操作で各モードを選択することができる。
【００３６】
次に、図５ないし図９を参照して、本発明における表示駆動系の一例について説明する。図５に示すように、この表示駆動系は、一つのコモンドライバ１８と２つのセグメントドライバ１９ａ，１９ｂのほかに、これらを制御するコントローラ２０と、表示データが格納される画像メモリ３０とを備えている。
【００３７】
上記実施形態と同じく、コモンドライバ１８は液晶セル１０の右辺１０Ｒ側の端子部の内の例えば第２表示部ＤＬ側に実装されている。また、一方のセグメントドライバ１９ａは第１表示部ＤＵ側の端子部に、他方のセグメントドライバ１９ｂは第２表示部ＤＬ側の端子部にそれぞれ実装されている。コントローラ２０にはマイクロコンピュータが用いられている。
【００３８】
図６に示すように、コモン電極Ｃは、第２透明電極基板１２において、ほぼ渦巻き状に配線されている。すなわち、コモンドライバ１８から第２表示部ＤＬを通り、貫通孔１６の周りを迂回して第１表示部ＤＵに至り、そこから液晶セル１０の右辺１０Ｒ側に向けて延ばされ、その先端がさらに空気通路１５側に向けて折り曲げられるように配線されている。
【００３９】
図示の例においては、説明の便宜上、コモンドライバ１８に接続されているコモン電極ＣはＣ１〜Ｃ５の５本としている。各コモン電極Ｃ１〜Ｃ５は、貫通孔１６の周りの３箇所Ａ，Ｂ，Ｃで同方向（この例では時計方向）に順次直角に折り曲げられている。
【００４０】
ここで、第２表示部ＤＬの右端から第１折曲部Ａまでの間を第１区画Ｐ１，第１折曲部Ａから第２折曲部Ｂまでの間を第２区画Ｐ２，第２折曲部Ｂから第３折曲部Ｃまでの間を第３区画Ｐ３，第３折曲部Ｃから空気通路１５に至る手前までの間を第４区画Ｐ４とすると、上記実施形態の表示領域Ｄ１は第３区画Ｐ３に、表示領域Ｄ２は第１区画Ｐ１に、表示領域Ｄ３は第２区画Ｐ２に、表示領域Ｄ４は第４区画Ｐ４にそれぞれ含まれることになる。
【００４１】
次に、図７に示すように、セグメント電極Ｓは第１透明電極基板１１側に形成されているが、図示の例においては、説明の便宜上、第２表示部ＤＬ側に配置されているセグメントドライバ１９ｂからは、Ｓ１〜Ｓ１１の１１本のセグメント電極Ｓが引き出され、第１表示部ＤＵ側に配置されているセグメントドライバ１９ａからはＳ１２〜Ｓ２５の１４本のセグメント電極Ｓが引き出されているものとする。したがって、セグメント電極Ｓの総本数は２５本である。
【００４２】
図８に、コモン電極Ｃ１〜Ｃ５とセグメント電極Ｓ１〜Ｓ２５との交差状態を示す。図８中、□が実際に電極交点が存在する有効画素部分で、×が電極交点が存在しない架空画素である。
【００４３】
セグメントドライバ１９ｂ側に含まれる１１本のセグメント電極Ｓのうち、セグメント電極Ｓ１〜Ｓ７は、第１区画Ｐ１においてコモン電極Ｃに対して直交するように配線され、残りのセグメント電極Ｓ８〜Ｓ１１は第２区画Ｐ２においてコモン電極Ｃに対して直交するように配線されている。
【００４４】
第１区画Ｐ１に配線されているセグメント電極Ｓ１〜Ｓ７のうち、セグメント電極Ｓ１〜Ｓ４は、それぞれ５本のコモン電極Ｃ１〜Ｃ５を横切っているが、セグメント電極Ｓ５は４本のコモン電極Ｃ２〜Ｃ５と交差している。また、セグメント電極Ｓ６は３本のコモン電極Ｃ３〜Ｃ５と交差しており、セグメント電極Ｓ７は２本のコモン電極Ｃ４〜Ｃ５と交差している。
【００４５】
第２区画Ｐ２に配線されているセグメント電極Ｓ８〜Ｓ１１のうち、セグメント電極Ｓ８は２本のコモン電極Ｃ４〜Ｃ５と交差し、セグメント電極Ｓ９は３本のコモン電極Ｃ３〜Ｃ５と交差し、セグメント電極Ｓ１０は４本のコモン電極Ｃ２〜Ｃ５と交差し、セグメント電極Ｓ１１は５本のコモン電極Ｃ１〜Ｃ５と交差している。このように、セグメント電極Ｓのうち、区画の移り変わる部分、すなわち、コモン電極Ｃの折曲部Ａ，Ｂ，Ｃに近接するものほど電極交点の数が少なくなっている。
【００４６】
また、セグメントドライバ１９ａ側に含まれる１４本のセグメント電極Ｓのうち、セグメント電極Ｓ１２〜Ｓ１４は、第２区画Ｐ２においてコモン電極Ｃに対して直交するように配線され、セグメント電極Ｓ１５〜Ｓ２１は第３区画Ｐ３においてコモン電極Ｃに対して直交するように配線され、残りのセグメント電極Ｓ２２〜Ｓ２５は第４区画Ｐ４においてコモン電極Ｃに対して直交するように配線されている。
【００４７】
このセグメントドライバ１９ａ側に含まれる１４本のセグメント電極Ｓにおいても、図８に示すように、区画の移り変わる部分（コモン電極Ｃの折曲部Ａ，Ｂ，Ｃ）に近接するものほど電極交点の数が少なくなっている。
【００４８】
画像メモリ３０はビットマップ形式のもので、コモン電極Ｃの総本数をｍ，セグメント電極Ｓの総本数をｎとして、その各電極交点に対応するｍ×ｎのデータストア部を有している。この例では、コモン電極Ｃの総本数が５本，セグメント電極Ｓの総本数が２５本であるから、図９に示す５×２５のデータストア部を有している。
【００４９】
図８と対比して分かるように、５×２５のデータストア部のうち、斜線が付されている部分が電極交点が存在しない架空画素に対応するデータストア部で、本発明においては、図示斜線のデータストア部は無効メモリ領域３１としてアクセス禁止とされている。
【００５０】
すなわち、この無効メモリ領域３１には、表示データを書き込むこともできないし、表示データを読み出すこともできない。表示データの書き込み・読み出しができるのは、実際の電極交点が存在している有効画素に対応するデータストア部の有効メモリ領域３２のみである。したがって、画像メモリ３０に表示データを正確に書き込むことができる。
【００５１】
また、コモン電極Ｃが貫通孔１６の周りを周回していることがら、例えば文字「Ｅ」を画面の数箇所に表示する場合には、図１０に示すように、第１区画Ｐ１〜第４区画Ｐ４に対応する画像メモリ３０の有効メモリ領域３２ａ〜３２ｄに、文字「Ｅ」を表示する文字データを順次９０゜回転させるように書き込むことにより、図１１に示すように、画面上の数箇所に「Ｅ」の文字を上下揃えて正しく表示させることができる。
【００５２】
なお、上記した表示駆動系では、ひとつのコモンドライバ１８と、２つのセグメントドライバ１９ａ，１９ｂとを用いているが、図１２に示すように、一方のセグメントドライバ１９ｂに代えて、コモンドライバ部とセグメントドライバ部とを一体に備えているコントロールドライバ２１を使用することもできる。
【００５３】
【発明の効果】
以上説明したように、本発明によれば、貫通孔形成用の孔部シール材に表示部内を通って外気と連通する空気通路が設けられている液晶表示装置において、コモン電極を空気通路によって分割された一方の分割表示部分側から貫通孔の周辺に沿わせて他方の分割表示部分側に折り返すように配線するとともに、このコモン電極に対してセグメント電極を直交するように配線し、画像メモリから表示データを読み出してコモン電極とセグメント電極とを駆動するにあたって、画像メモリに対する表示データの正確な書き込み・読み出しを可能とし、適正な表示を得ることができる。
【図面の簡単な説明】
【図１】本発明の液晶表示装置が備える液晶セルの基本的な構成を説明するための模式的な平面図。
【図２】上記液晶セルの断面図。
【図３】上記液晶セルのコモン電極の配線状態を示す模式的な平面図。
【図４】上記液晶セルのセグメント電極の配線状態を示す模式的な平面図。
【図５】上記液晶セルの表示駆動系を示す模式図。
【図６】上記表示駆動系を説明するためのコモン電極の模式的配線図。
【図７】上記表示駆動系を説明するためのセグメント電極の模式的配線図。
【図８】図６のコモン電極と図７のセグメント電極との交差状態を示す展開図。
【図９】上記表示駆動系に用いられている画像メモリの構成を示す模式図。
【図１０】上記画像メモリに対する表示データの好ましい書き込む態様を示す模式図。
【図１１】上記表示データの好ましい書き込む態様による画面上の表示例を示す模式図。
【図１２】上記表示駆動系の変形例を示す模式図。
【符号の説明】
１０  液晶セル
１１，１２  透明電極基板
１３  周辺シール材
１４  孔部シール材
１５  空気通路
１６  貫通孔
１８  コモンドライバ
１９ａ，１９ｂ  セグメントドライバ
２０  コントローラ
３０  画像メモリ
３１  無効メモリ領域
３２  有効メモリ領域
Ｄ１〜Ｄ４  表示領域
ＤＵ  第１表示部
ＤＬ  第２表示部
Ｃ  コモン電極
Ｓ  セグメント電極
Ｐ１〜Ｐ４  区画
【図１】
2004184498.tif 000003
【図２】
2004184498.tif 000004
【図３】
2004184498.tif 000005
【図４】
2004184498.tif 000006
【図５】
2004184498.tif 000007
【図６】
2004184498.tif 000008
【図７】
2004184498.tif 000009
【図８】
2004184498.tif 000010
【図９】
2004184498.tif 000011
【図１０】
2004184498.tif 000012
【図１１】
2004184498.tif 000013
【図１２】
2004184498.tif 000014